(57)【特許請求の範囲】
【請求項１】
複数の枠脚から組み立てられた枠組みを備えた配電盤キャビネットであって、前記枠組みが、壁部材と少なくとも１つのキャビネットドアとによって閉鎖されているか、又は閉鎖可能である形式のものにおいて、
枠組み（１０）内に少なくとも１つの組み込みケーシング（３０）又は組み込みフレームが組み込まれており、該組み込みケーシング又は組み込みフレームが、下部領域で鉛直方向に整列された緩衝部材（３５．１）によってばね弾性的に、水平方向で支持レール（３１）上に固定されていて、該支持レール（３１）が、鉛直方向に延びる側方の枠脚（１１）間に取り付けられており、
組み込みケーシング（３０）又は組み込みフレームの上側の領域が、水平方向に向けられた緩衝部材（３５．２）によって直接的に、又は固定金具（２１）を介してばね弾性的に、枠組み（１０）の鉛直な枠脚（１１）に結合されていることを特徴とする、枠組みを備えた配電盤キャビネット。
【請求項２】
組み込みケーシング（３０）又は組み込みフレームが、下側の領域で、下側に配置された緩衝部材（３５．１）の４箇所の角隅領域を介して、水平方向の支持レール（３１）に結合されている、請求項１記載の配電盤キャビネット。
。
【請求項３】
組み込みケーシング（３０）又は組み込みフレームの前側及び後ろ側が、上側領域内で、これらの前側及び後ろ側に対して垂直に位置するそれぞれ２つの緩衝部材（３５．２）を介して、互いに向き合う鉛直な枠脚（１１）に結合されている、請求項１又は２記載の配電盤キャビネット。
【請求項４】
緩衝部材（３５．１，３５．２）が円筒形に形成されており、緩衝部材（３５．１，３５．２）の端面側に、固定ねじ（２２，３４，３７，４３）のためのねじ山付きブシュがはめ込まれている、請求項１から３までのいずれか１項記載の配電盤キャビネット。
【請求項５】
組み込みケーシング（３０）が、前側を除いてＨＦシールによって閉鎖されている、請求項１から４までのいずれか１項記載の配電盤キャビネット。
【請求項６】
枠組み等の組み込みフレームが、固定受容部（３３）及び／又は固定孔（２７）の列を備えている、請求項１から４までのいずれか１項記載の配電盤キャビネット。
【請求項７】
組み込みケーシング（３０）が、少なくとも前側の領域でフレーム状に折り曲げられていて、固定受容部（３３）の列を備えている、請求項５記載の配電盤キャビネット。
【請求項８】
枠組み（１０）が、プレート状の緩衝枠を介して、起立面に結合された台座にばね弾性的に結合されている、請求項１から７までのいずれか１項記載の配電盤キャビネット。
【発明の詳細な説明】
本発明は、枠脚部から組み立てられた枠組みを備えた配電盤キャビネットであって、前記枠組みが壁部材及び少なくとも１つのキャビネットドアによって閉鎖されているか又は閉鎖可能である形式のものに関する。
このような形式の配電盤キャビネットにおいては、組み立てプレート、構造群支持体及びこれと類似の組み込み構造物は、枠組み内に堅固に組み込まれる。このような堅固な枠組みは、地震の時に、種々異なる方向に生じるスラスト力及び引っ張り力によって、損傷および破壊を生ぜしめる原因となり、この損傷及び破壊によって完全な機能停止に至る。
本発明の課題は、冒頭に述べた形式の配電盤キャビネットで、組み立て構造物が、地震に対して保護された取り付けられ、損傷が十分に避けられるようなものを提供することである。
この課題は、本発明によれば、枠組み内に少なくとも１つの組み込みケーシング又は組み込みフレームが組み込まれていて、該組み込みケーシング又は組み込みフレームが、下側の領域で、鉛直方向に向けられた緩衝部材によって、水平方向に延びる支持レールにばね弾性的に固定されていて、この支持レールが、鉛直方向に延びる側方の枠脚部間に取り付けられており、組み込みケーシング又は組み込みフレームの上側の領域が、水平方向に整列された緩衝部材によって直接的に又は固定金具を介して、枠組みの鉛直方向に延びる枠脚にばね弾性的に結合されていることによって解決された。
このようなばね弾性的な組み込みによって、配電盤キャビネットに作用するスラスト力及び引っ張り力は、組み込みケーシング又は組み込みフレームから遠ざけられる。何故ならば、鉛直方向及び水平方向に向けられた緩衝部材が、組み込みケーシング又は組み込みフレームを、枠組みに対して及びひいては本来のキャビネットに対して、多方面に制限して変位させ、ひいて調節することができるからである。したがって、組み込みケーシング又は組み込みフレームに取り付けられた組み込み構造物は、地震の時に生じる力に対して保護されている。
本発明の実施例によれば、組み込みケーシング又は組み込みフレームは、これが、下側の領域で、下側に配置された緩衝部材の４箇所の角隅領域を介して、水平方向の支持レールに結合されていることによって、支持レールによって確実に鉛直方向で整列されて支持される。
組み込みケーシング又は組み込みフレームの上側の領域は、この組み込みケーシング又は組み込みフレームの前側及び後ろ側が、上側領域内で、これらの前側及び後ろ側に対して垂直に位置するそれぞれ２つの緩衝部材を介して、互いに向き合う鉛直な枠組みに結合されていることによって、付加的な接続レールなしでばね弾性的に支持される。
緩衝部材が円筒形に形成されており、緩衝部材の端面側に、固定ねじのためのねじ山付きブシュがはめ込まれていれば、緩衝部材は、緩衝作用を妨げることなしに、端面側で切り離された固定箇所を形成する。
組み込みケーシングが、前側を除いてＨＦシールによって閉鎖されていれば、組み込みケーシング内の組み込み構造物に、ＨＦシールを容易に設けることができる。
本発明の有利な構成によれば、枠組み等の組み込みフレームが、固定受容部及び／又は固定孔の列を備えている。これによって、組み込みフレームのために、配電盤キャビネットの枠組みのためのものと同じ固定手段、組み立てレール使用することができる。これと同じことは、組み込みケーシングが、少なくとも舞え側の領域でフレーム状に折り曲げられていて、固定受容部の列を備えていれば、組み込みケーシングについても当てはまる。
配電盤キャビネットの確実な耐震性は、枠組みが、プレート状の緩衝枠を介して、起立面に結合された台座にばね弾性的に結合されていることによって、さらに改善される。配電盤キャビネットは、台座に対してすべての側で制限して調節することができ、この場合プレート状の緩衝枠は、生じた力を受けとめて、配電盤キャビネットにから遠ざけることができる。
本発明は以下に図示の実施例を用いて詳しく説明されている。
第１図は、枠組みを備えた配電盤キャビネットで、キャビネットドアが取り除かれていて、組み込みケーシングが挿入されている状態の斜視図、
第２図は、組み込みケーシングの下側の領域を、鉛直方向でばね弾性的に固定するための部分の分解図、
第３図は、配電盤キャビネットの枠組み内で、組み込みケーシングの上側の領域を水平方向でばね弾性的に固定するための部分の分解図である。
配電盤キャビネットの枠組み１０のうち、第１図には、鉛直方向の枠脚部１１及び１３と、水平方向の枠脚部１２及び１４と、アンダーステー１５とだけが示されている。枠組みは、互いに堅固に例えば溶接によって結合されている。壁部材１６，１７，１８，１９は、枠組み１０を、正面側及び底部側を除いて閉鎖している。正面側は、（図示していない）キャビネットドアによって閉鎖される。枠脚部の一部は、壁部材１６〜１９において折り曲げられていてもよい。この場合、第２図の鉛直な枠脚部１１に示されているように、枠脚部内には、固定受容部３３及び／又は固定孔２７の列が設けられている。
下側の固定部IIが、第２図で分解して示されている。この場合、両側で、前側と後ろ側の、鉛直方向に延びる枠脚部例えば１１の間に支持レール３１が挿入されており、この支持レール３１は、固定ねじ３２によって枠脚部に固定される。支持レール３１の水平方向の脚上には、固定ねじ３４及び座金３８によって、緩衝部材３５．１が鉛直方向に整列されて固定される。この場合、円筒形の緩衝部材３５．１の端面側にはねじ山付きブシュがはめ込まれている。これによって、すべての側の緩衝機能に不都合な影響を与えることなしに、緩衝部材３５．１における端面側の固定可能性が得られる。支持レール３１内に固定ねじ３４を挿入するための孔４０は、組み込みケーシング３０がすべての４隅で下側からばね弾性的に支持されるように、設けられている。組み込みケーシング３０は、固定ねじ３７及び座金３９によって、緩衝部材３５．１の上側に固定される。この場合、固定ねじ３７は、組み込みケーシング３０の孔４２及び、中間板３６の孔４１を通して導入される。組み込みケーシング３０は少なくとも、開放した前側の領域内で、固定ねじ３３及び／又は固定孔の列、並びに枠組み１０の枠脚を有していてよい。閉鎖された組み込みケーシング３０の代わりに、同様の形式で組み込みフレームを枠組み１０内にばね弾性的に支持して組み込むことができる。
第３図に示されているように、組み込みケーシング３０又は組み込みフレームの上側の領域は、水平方向に整列された緩衝部材３５．２によってばね弾性的に固定される。互いに向き合う鉛直方向の枠脚例えば１１には固定金具２１が固定されており、この場合、固定ねじ２４は、固定金具２１の孔２６を通して枠脚１１の固定孔２７内にねじ込むことができる。固定金具２１の別の脚には、固定ねじ２２及び座金２３によって緩衝部材３５．２が固定され、一方、固定ねじ４３は、座金４４及び組み込みケーシング３０の孔４５を通して、緩衝部材３５．２の他方側の端面側に結合される。
それぞれ２つの緩衝部材３５．２によって、組み込みケーシング３０の前側は、鉛直な前側の枠組みにばね弾性的に固定され、組み込みケーシング３０の後ろ側は、枠組み１０の鉛直な後ろ側の枠脚にばね弾性的に固定される。組み込みケーシング３０が、鉛直な側方の枠脚間に突き出ると、固定は、緩衝部材３５．２を介して枠脚に直接行われる。相応の寸法において、組み込みケーシング３０の側面は、水平方向でばね弾性的に枠脚に固定することができ、この場合緩衝部材３５．２は、配電盤キャビネットの開放した正面側に対して平行に整列される。
組み込みケーシング３０が、枠組み１０において、ばね弾性的に下側及び上側で４回支持されることによって、地震に対して強い組み込みが得られる。これは、枠組み１０をプレート状の緩衝フレームを介して、配電盤キャビネットのフレーム状の台座に結合することによって、さらに改善することができる。緩衝フレームは、台座と配電盤キャビネットとの結合を解除するので、この台座と配電盤キャビネットとの移行領域内では同様に力が受容され、この力は、枠組み１０から遠ざけられる。
【図１】
0003679417.tif 000002
【図２】
0003679417.tif 000003
【図３】
0003679417.tif 000004